(57)【要約】【課題】ゲル状の内容物によるノズル入口の詰まりを抑えるためにノズル内部に挿入棒を設け、ポンピング作用によりノズルが前後移動するように具現したディスペンサとそれを用いた化粧品容器を提供する。【解決手段】ディスペンサ１１０は、ゲル状の内容物１０４が入れられた容器本体１０２の上部に結合され、ディスペンサ１１０に設けられたシリンダ１１４の下部に吸入管１１６が連結されて容器本体１０２内に延び、シリンダ１１４内部に開閉棒１１８が設けられ、シリンダ１１４と開閉棒１１８との間にピストン１２０が介在し、開閉棒１１８の下端に吸入弁１２２が結合された従来の化粧品容器１００であって、特に、ディスペンサ１１０は、上段キャップ１３０と、中段キャップ１４０、及び下段キャップ１５０とを含み、下段キャップ１５０と中段キャップ１４０との間には、第２のばね１５２が介在し、中段キャップ１４０は、上段キャップ１３０に係止し、ピストン１２０は、下段キャップ１５０を挿通して中段キャップ１４０内に嵌め込まれて結合され、上段キャップ１３０に取り付けられた挿入棒１３２がノズル１３６内部に挿入されてノズル１３６の入口を塞いでおり、上段キャップ１３０に結合された第１のばね１３５がノズル１３６と一体にして形成された上部滑り台１３７に結合され、上部滑り台１３７は、下段キャップ１５０に形成された下部滑り台１５７と接触し、上段キャップ１３０が下降する時、上部滑り台１３７とノズル１３６が前進移動すると共に、ノズル１３６の入口が開いてゲル状の内容物１０４が外部に排出される。
2004522499.tif 000002
【特許請求の範囲】
【請求項１】
ゲル状の内容物１０４が入れられた容器本体１０２の上部にディスペンサ１１０が結合される化粧品容器１００において、前記ディスペンサ１１０には、シリンダ１１４が設けられ、前記シリンダ１１４の下部に吸入管１１６が連月されて前記容器本体１０２内に延び、前記シリンダ１１４内部に開閉棒１１８が設けられ、前記シリンダ１１４と前記開閉棒１１８との間にピストン１２０が介在し、前記開閉棒１１８の下端に吸入弁１２２が結合された前記化粧品容器１００であって、
前記ディスペンサ１１０は、上段キャップ１３０と、中段キャップ１４０、及び下段キャップ１５０とを含み、前記下段キャップ１５０と前記中段キャップ１４０との間には、第２のばね１５２が介在し、前記中段キャップ１４０は、前記上段キャップ１３０に係止し、前記ピストン１２０は、前記下段キャップ１５０を挿通して前記中段キャップ１４０内に嵌め込まれて結合され、前記上段キャップ１３０に取り付けられた挿入棒１３２がノズル１３６内部に挿入されて前記ノズル１３６の入口を塞いでおり、前記上段キャップ１３０に結合された第１のばね１３５が前記ノズル１３６と一体にして形成された上部滑り台１３７に結合され、前記上部滑り台１３７は、前記下段キャップ１５０に形成された下部滑り台１５７と接触し、前記上段キャップ１３０が下降する時、前記上部滑り台１３７と前記ノズル１３６が前進移動すると共に、前記ノズル１３６の入口が開いてゲル状の内容物１０４が外部に排出されることを特徴とするディスペンサ１１０を用いた化粧品容器１００。
【請求項２】
前記下段キャップ１５０と前記中段キャップ１４０は、前記下段キャップ１５０の上段外部に形成された上段係止条１５４と前記中段キャップ１４０の下段内部に形成された下段係止条１４４とが互いに係合し、前記下段キャップ１５０のばね支持条１５６と前記中段キャップ１４０のばね支持溝１４６との間に前記第２のばね１５２が介在することにより互いに結合されることを特徴とする請求項１に記載のディスペンサ１１０を用いた化粧品容器１００。
【請求項３】
前記ピストン１２０は、前記下段キャップ１５０の下部面の中央部に形成されたピストン挿入口１５１を挿通して前記中段キャップ１４０の中央に形成されたピストン配設管１４２内に嵌め込まれてピストン固定条１４５に係合することを特徴とする請求項１に記載のディスペンサ１１０を用いた化粧品容器１００。
【請求項４】
前記中段キャップ１４０の上部には、排出管１４７が設けられ、前記排出管１４７の中央には、排出口１４９が形成されることを特徴とする請求項１に記載のディスペンサ１１０を用いた化粧品容器１００。
【請求項５】
前記排出管１４７の上部には、一字形の流動溝１４８が形成され、前記排出口１４９は、前記流動溝１４８の中央に位置することを特徴とする請求項４に記載のディスペンサ１１０を用いた化粧品容器１００。
【請求項６】
前記ノズル１３６の下部には、流入口１３８が形成され、前記流入口１３８は、前記流動溝１４８内に位置することを特徴とする請求項１に記載のディスペンサ１１０を用いた化粧品容器１００。
【請求項７】
前記上段キャップ１３０の下部の一側縁部には、挿入棒保持部１３３が形成され、前記上段キャップ１３０の下部の他側縁部には、ノズル溝１３１が形成され、前記挿入棒１３２が前記挿入棒保持部１３３に取り付けられた後、前記上段キャップ１３０を横切って前記ノズル溝１３１に向けて延びていることを特徴とする請求項１に記載のディスペンサ１１０を用いた化粧品容器１００。
【発明の詳細な説明】
【技術分野】
【０００１】
本発明は、ディスペンサ及びそれを用いた化粧品容器に関し、特に、ゲル状の内容物によるノズル入口の詰まりを抑えるためにノズル内部に挿入棒を設け、ポンピング作用によりノズルが前後移動するように具現したディスペンサとそれを用いた化粧品容器に関する。
【背景技術】
【０００２】
一般に、化粧品容器に取り付けられて使用されるディスペンサは、容器内に入れられているゲル状の内容物を所定量ずつ容器の外に排出する役割を果たす。図１は、従来の技術にかかるディスペンサとそれを用いた化粧品容器を示している。
同図に示すように、化粧品容器の容器本体１の内部には、ゲル状の内容物２が入れられ、容器本体１の上部にディスペンサが結合される。ディスペンサは、保持体３により容器本体１に結合され、保持体３の内側にシリンダ４が結合される。シリンダ４の下方には吸入管５が連結されて容器本体１内に延び、シリンダ４の内側には、開閉棒６が設けられる。シリンダ４と開閉棒６との間にピストン７が介在してばね８により保持され、ピストン７の上部に移送管９が結合され、移送管９は、更にキャップ１０に結合される。開閉棒６の下段には吸入弁１１が結合されてシリンダ４と吸入管５との連結通路を塞いでおり、移送管９の上段には、排出弁１２が結合されてキャップ１０に形成されたノズル１３と移送管９との間の連結通路を塞いでいる。
【０００３】
このような構成のディスペンサは、次のように作動する。まずキャップ１０を押圧すると、移送管１０とピストン７が下降しながらピストン７と開閉棒６との間に隙間が生じ、この隙間からシリンダ４内のゲル状内容物が流動できるようなる。即ち、ピストン７の下降によりシリンダ４内部の圧力が増大し、この結果、シリンダ４内部に入れられていた内容物が排出弁１２を押しつつキャップ１０に設けられたノズル１３から外に排出される。
内容物の排出の後、キャップ１０から手を離すと、ピストン７は、ばね８の弾性力により上昇するようになる。従って、シリンダ４内部の圧力が減少し、その結果、吸入弁１１の縁部が持ち上げられ、容器本体１の内部に入れられていた内容物２が吸入管５を通って前記持ち上げられた縁部からシリンダ４内部に入っていくようになる。
【発明が解決しようとする課題】
【０００４】
以上で説明した従来のディスペンサは、次のような問題点を抱えている。図１に示すように、ゲル状内容物は、常に、容器本体１のみならず吸入管５の内部、シリンダ４の内部、移送管９の内部、ノズル１３の内部に入れられた状態を維持している。ところで、ノズル１３の先端の内容物１４は、外気と常に接触しているため、空気との作用により硬化したり変質したりすることが多い。従って、硬化した内容物１４によりノズル１３が詰まってしまったり変質された内容物１４により製品の信頼性に致命的な打撃を与えたりすることがある。
従って、本発明の目的は、化粧品容器のノズル先端に存在するゲル状の内容物が空気と反応して硬化したり変質したりするという問題点が解決できる新しい構造のディスペンサとそれを用いた化粧品容器を提供することである。
【課題を解決するための手段】
【０００５】
前記のような目的を達成するために、本発明は、ノズル内部に挿入棒を設けてノズル入口を塞ぎ、ポンピング作用によりノズルが前後移動するように具現することでノズル入口のゲル状内容物が硬化したり変質したりすることを抑えたディスペンサとそれを用いた化粧品容器を提供する。
【発明を実施するための最良の形態】
【０００６】
以下、添付図面を参照して、本発明の好適な実施の形態を説明する。
図２は、本発明の実施の形態にかかるディスペンサ１１０とそれを用いた化粧品容器１００を示す断面図である。同図に示すように、化粧品容器１００の容器本体１０２の内部にはゲル状の内容物１０４が入れられ、容器本体１０２の上部にディスペンサ１１０が結合される。
ディスペンサ１１０は、保持体１１２により容器本体１０２に結合され、保持体１１２の内側にシリンダ１１４が結合される。シリンダ１１４の下方には、吸入管１１６が連結されて容器本体１０２内に延び、シリンダ１１４の内側には開閉棒１１８が設けられる。シリンダ１１４と開閉棒１１８との間にはピストン１２０が介在して、ピストン１２０は、上方に延びて中段キャップ１４０（後述する）に係止する。開閉棒１１８の下段には、吸入弁１２２が結合され、シリンダ１１４と吸入管１１６との連結通路を塞いでいる。
【０００７】
本発明にかかるディスペンサ１１０の特徴は、３つの部分で区分されるキャップにある。以下、３つの部分のキャップをそれぞれ上段キャップ１３０、中段キャップ１４０、下段キャップ１５０と称する。キャップの要部が図３の分解斜視図に示されており、特に、上段キャップ１３０は、図４ａの底面図と図４ｂの断面図に、中段キャップ１４０は、図５ａの平面図と図５ｂの断面図に、下段キャップ１５０は、図６ａの平面図と図６ｂの断面図にそれぞれ詳細に示されている。
図２、図３、図４ａ、図４ｂに示すように、上段キャップ１３０は、ノズル溝１３１、挿入棒１３２、挿入棒保持部１３３、ばね固定座１３４、第１のばね１３５、ノズル１３６、上部滑り台１３７、流入口１３８からなる。また、図２、図３、図５ａ、図５ｂに示すように、中段キャップ１４０は、リブ１４１、ピストン配設管１４２、上段係止条１４３、下段係止条１４４、ピストン固定条１４５、ばね支持溝１４６、排出管１４７、流動溝１４８、排出口１４９からなる。また、図２、図３、図６ａ、図６ｂに示すように、下段キャップ１５０は、ピストン挿入口１５１、第２のばね１５２、上段係止条１５４、ばね支持条１５６、下部滑り台１５７からなる。
【０００８】
以下、ディスペンサ１１０での各キャップ１３０、１４０、１５０の構成を説明する。下段キャップ１５０と中段キャップ１４０は、下段キャップ１５０の上段外部に形成された上段係止条１５４と中段キャップ１４０の下段内部に形成された下段係止条１４４とが互いに係合し、下段キャップ１５０のばね支持条１５６と中段キャップ１４０のばね支持溝１４６との間に第２のばね１５２が介在することにより互いに結合される。中段キャップ１４０は、その上部に形成された上段係止条１４３により上段キャップ１３０に係止する。
ディスペンサ１１０のピストン１２０は、下段キャップ１５０の下部面の中央部に形成されたピストン挿入口１５１を挿通して中段キャップ１４０の中央に形成されたピストン配設管１４２内に嵌め込まれてピストン固定条１４５に係合する。ピストン配設管１４２は、リブ１４１により中段キャップ１４０の中央に形成される。ピストン配設管１４２の上部には、排出管１４７がピストン配設管１４２とピストン１２０の内部に嵌め込まれる。排出管１４７の中央には、排出口１４９が形成されており、上部には、一字形の流動溝１４８が形成されている。排出口１４９は、流動溝１４８の中央に位置する。
【０００９】
上段キャップ１３０の下部の一側縁部には、挿入棒保持部１３３が形成され、挿入棒１３２が挿入棒保持部１３３に取り付けられた後、上段キャップ１３０を横切って反対側の縁部に形成されたノズル溝１３１に向けて延びている。挿入棒１３２は、ノズル１３６内部に挿入されてノズル１３６の入口を塞いでいる。ノズル１３６は、ノズル溝１３１内を延びて上段キャップ１３０の外部に一部が突出する。上段キャップ１３０の下部には、またノズル溝１３１に隣接して２つのばね固定座１３４が形成され、ばね固定座１３４のそれぞれに第１のばね１３５の一端が収められる。第１のばね１３５の他端は、上段キャップ１３０の中央部に存在する上部滑り台１３７に収められる。上部滑り台１３７は、ノズル１３６と一体にして形成される。上部滑り台１３７は、下段キャップ１５０の縁部に形成された下部滑り台１５７と接触する。一方、ノズル１３６の下部には、流入口１３８が形成され、流入口１３８は、排出管１４７に形成された流動溝１４８内に位置するが、排出口１４９とはその位置がずれてもよい。
【００１０】
以上で説明したような構成を有するディスペンサ１１０は、次のように動作する。以下で説明するディスペンサ１１０の作用からディスペンサ１１０の構成もより明らかになるはずである。図７ａと図７ｂは、ディスペンサ１１０の作用を縦断面図で示し、図８ａと図８ｂは、ディスペンサの作用を横断面図で示している。また、図７ａと図８ａは、互いに対応する図面であって、上段キャップ１３０を押圧していない時（即ち、使用していない時）の状態を示し、同様に互いに対応する図面である図７ｂと図８ｂは、上段キャップ１３０を押圧した時（即ち、使用中の時）の状態を示している。
上段キャップ１３０を押圧していない時、上部滑り台１３７と下部滑り台１５７とは、その端部が互いに接触しており、挿入棒１３２は、ノズル１３６の入口を塞いでいる。従って、使用していない時は、化粧品容器１００のノズル１３６が常に塞がっている状態であるため、ノズル１３６内に入っているゲル状の内容物１０４が外部の空気と接触しない。
【００１１】
一方、上段キャップ１３０を押圧すると、上部滑り台１３７が下段キャップ１５０に固定されている下部滑り台１５７上を摺動しながら第１のばね１３５を付勢し、この結果、上部滑り台１３７に一体に形成されているノズル１３６が前進するようになる。これに対し、挿入棒１３２は、上段キャップ１３０の挿入棒保持部１３３に固定されたままの状態を維持する。従って、ノズル１３６の入口が開きながらその内に存在するゲル状の内容物１０４が外部に排出される。
上段キャップ１３０を押圧すると、上段キャップ１３０に係止している中段キャップ１４０も下方に押し下げられる。この時、中段キャップ１４０は、第２のばね１５２を付勢しながらピストン配設管１４２に嵌め込まれて係止しているピストン１２０も同時に押し下げられるようになる。ピストン１２０の下降によりシリンダ１１４内部の空間が縮小し、ピストン１２０と開閉棒１１８との間に隙間を形成する。従って、シリンダ１１４内部の圧力が高くなり、シリンダ１１４内部の内容物が前記隙間を通ってピストン１２０の上部に設けられた排出管１４７に供給される。引き続き、排出管１４７に供給された内容物は、排出口１４９と流動溝１４８を通ってノズル１３６の下部の流入口１３８まで流れ込まれる。前述したように、ノズル１３６が前後移動してもノズル１３６の流入口１３８が排出管１４７の流動溝１４８内でのみ移動するため、内容物の流れには何ら差し支えを生じない。
【００１２】
一方、上段キャップ１３０を押圧していた力を除去すると、第２のばね１５２の弾性力により中段キャップ１４０の元の位置に上昇するようになる。従って、中段キャップ１４０に係止している上段キャップ１３０も上昇し、上部滑り台１３７が第１のばね１３５の弾性力を受けて元の位置に後退する。上部滑り台１３７に一体に形成されたノズル１３６も後退しながら挿入棒１３２がノズル１３６の入口を塞ぐようになる。なお、中段キャップ１４０の上昇によりピストン１２０も同時に上昇し、その結果、ピストン１２０と開閉棒１１８との間の隙間が塞がってしまう。従って、シリンダ１１４内部の圧力が低下しつつ吸入弁１２２が開き、容器本体１０２の内容物１０４が吸入管１１６を通ってシリンダ１１４内に供給される。
【発明の効果】
【００１３】
以上で説明したように、本発明のディスペンサを用いた化粧品容器を使用していない時は、ノズルの入口が挿入棒によって塞がっているため、ノズル内部のゲル状内容物が外気との接触から遮断される。従って、従来の例のように内容物が硬化したり変質したりする問題点が根本的に抑えられる効果を奏し、製品の信頼性の提高に寄与し得る。
本明細書と図面では、本発明の好適な実施の形態について開示し、たとい、特定用語が用いられたが、これは、単に本発明の技術内容を容易に説明し、読者の理解を助けるための一般的な意味で用いられたことであって、本発明の範囲を限定することではない。ここで開示した実施の形態の他にも本発明の技術的思想に基づいた他の変形例が実施可能であることは、本発明の属する技術分野における通常の知識を有する者にとっては自明である。
【図面の簡単な説明】
【００１４】
【図１】従来の技術にかかる化粧品容器のディスペンサを示す断面図である。
【図２】本発明の実施の形態にかかるディスペンサとそれを用いた化粧品容器を示す断面図である。
【図３】本発明の実施の形態にかかるディスペンサの要部を示す分解斜視図である。
【図４ａ】及び
【図４ｂ】本発明の実施の形態にかかるディスペンサの上段キャップを示す底面図である。
【図５ａ】及び
【図５ｂ】本発明の実施の形態にかかるディスペンサの中段キャップを示す平面図である。
【図６ａ】及び
【図６ｂ】本発明の実施の形態にかかるディスペンサの下段キャップを示す平面図である。
【図７ａ】及び
【図７ｂ】本発明の実施の形態にかかるディスペンサの作用を説明するための縦断面作動図である。
【図８ａ】及び
【図８ｂ】本発明の実施の形態にかかるディスペンサの作用を説明するための横断面作動図である。
【符号の説明】
１００            化粧品容器
１０２            容器本体
１０４            ゲル状内容物
１１０            ディスペンサ
１１４            シリンダ
１１６            吸入管
１１８            開閉棒
１２０            ピストン
１２２            吸入弁
１３０            上段キャップ
１４０            中段キャップ
１５０            下段キャップ
【図１】
2004522499.tif 000003
【図２】
2004522499.tif 000004
【図３】
2004522499.tif 000005
【図４】
2004522499.tif 000006
2004522499.tif 000007
【図５】
2004522499.tif 000008
2004522499.tif 000009
【図６】
2004522499.tif 000010
2004522499.tif 000011
【図７】
2004522499.tif 000012
2004522499.tif 000013
【図８】
2004522499.tif 000014
2004522499.tif 000015
【国際公開パンフレット】
2004522499.tif 000016
2004522499.tif 000017
2004522499.tif 000018
2004522499.tif 000019
2004522499.tif 000020
2004522499.tif 000021
2004522499.tif 000022
2004522499.tif 000023
2004522499.tif 000024
2004522499.tif 000025
2004522499.tif 000026
2004522499.tif 000027
2004522499.tif 000028
2004522499.tif 000029
2004522499.tif 000030
2004522499.tif 000031
2004522499.tif 000032
2004522499.tif 000033
2004522499.tif 000034
2004522499.tif 000035
2004522499.tif 000036
2004522499.tif 000037
【国際調査報告】
2004522499.tif 000038